(57)【要約】【課題】  搬送、設置作業が容易で、かつ安価であり、さらに安全性の高い組立式ラグビーゴールの提供。【解決手段】  設置面に対し起立して並設される一対のゴールポストと、前記ゴールポスト間に連結されるクロスバーと、前記ゴールポストを抜き差し自由に支える基盤であって、ゴールポストが垂直に差し込まれるソケットを備えた基盤と、前記基盤を覆うマットと、前記基盤上に積み重ねて載置される複数個のタンクとからなり、前記タンクは、上方に開口する合成樹脂製の円筒状タンク本体と、前記タンク本体の開口部に取り外し可能に装着される合成樹脂製の上蓋とからなり、前記タンク本体を貫通して前記ゴールポストが差し込まれる差込口がそれぞれ形成されると共に、内部に流動体を注入可能にした構成とする。【選択図】図２
0003203071.tif 000002
【実用新案登録請求の範囲】
【請求項１】
設置面に対し起立して並設される一対のゴールポストと、
前記ゴールポスト間に連結されるクロスバーと、
前記ゴールポストを抜き差し自由に支える基盤であって、ゴールポストが垂直に差し込まれるソケットを備えた基盤と、
前記基盤を覆うマットと、
前記基盤上に積み重ねて載置される複数個のタンクとからなり、
前記タンクは、上方に開口する合成樹脂製の円筒状タンク本体と、前記タンク本体の開口部に取り外し可能に装着される合成樹脂製の上蓋とからなり、前記タンク本体を貫通して前記ゴールポストが差し込まれる差込口がそれぞれ形成されると共に、内部に流動体を注入可能としたことを特徴とする組立式ラグビーゴール。
【請求項２】
前記タンクは、直径寸法が５００ｍｍ〜６００ｍｍで、高さ寸法が４００ｍｍ〜８５０ｍｍであることを特徴とした請求項１に記載の組立式ラグビーゴール。
【考案の詳細な説明】
【技術分野】
【０００１】
本考案は組立式ラグビーゴールに関するものであり、詳しくは競技場に設置するにあたり、基礎やポールの打ち込みが不要で、容易に固定、撤去できる構造の可搬式のラグビーゴールに関するものである。
【背景技術】
【０００２】
近年、健康の保持増進や地域コミュニティの醸成に各種スポーツが盛んに行われているが、対応するスポーツ施設は未だ充分とは言えず、多くの競技場が多目的グランドとして様々なスポーツに利用されているのが現状である。なかでもラグビーに関しては、ラグビー専用の競技場は極めて少なく、広いグランド面積を必要とすることから、陸上競技場のフィールドやサッカーグランド等との共用グランドを利用して行われることが多い。このため、ラグビーで使用されるゴールは、他の競技を行うときには邪魔になるためラグビーの試合がある度にゴールの組立作業と撤去作業が行われている。
【０００３】
例えば、ラグビーゴールの設置には、グランドの所定位置に堀設したゴールポスト用取付部にゴールポストを挿入して固定する抜差方式が採用されている（特許文献１、２、３）。
【先行技術文献】
【特許文献】
【０００４】
【特許文献１】特開平８−１９１９１１号公報
【特許文献２】特開２００２−３６０７５３号公報
【特許文献３】特開２００７−３０１３２５号公報
【考案の概要】
【考案が解決しようとする課題】
【０００５】
前記従来のゴールポストの固定方法では、ゴールポスト用取付部を予めグランドに堀設しておき、他の目的で使用するときには適宜覆い塞ぐことができる構造にしておく必要がある。また、これらのゴールポストの重量が大きいために、搬送や設置の際の作業は困難で、特殊な装置を要することもある。また、これらのゴールポストは一般的に７ｍ以上あるのに対し、前記取付部の面積が小さいため、ボール等の衝撃によってゴールポストが転倒するおそれがあり、安定的に固定するのは容易ではなかった。
【０００６】
そこで本考案の目的は、搬送、設置作業が容易で、かつ安価であり、さらに安全性の高い組立式ラグビーゴールを提供することにある。  
【課題を解決するための手段】
【０００７】
本考案の組立式ラグビーゴールは、設置面に対し起立して並設される一対のゴールポストと、
前記ゴールポスト間に連結されるクロスバーと、前記ゴールポストを抜き差し自由に支える基盤であって垂直に差し込まれるソケットを備えた基盤と、前記基盤を覆うマットと、前記基盤上に上下に積み重ねて載置される複数個のタンクとからなり、前記タンクは、上方に開口する合成樹脂製の円筒状タンク本体と、前記タンク本体の開口部に取り外し可能に装着される合成樹脂製の上蓋とからなり、前記タンク本体の底面と前記上蓋には前記ゴールポストが差し込まれる差込口がそれぞれ形成されると共に、前記底面の差込口には前記ゴールポストを挿通させる保持筒部を備え、内部に流動体を注入可能にしたことを特徴とするものである。
【０００８】
１つのタンクは、直径寸法が５００ｍｍ〜６００ｍｍで、高さ寸法を４００ｍｍ〜８５０ｍｍとするものが容易に搬送できるので好ましい。
【考案の効果】
【０００９】
上記本考案の組立式ラグビーゴールによれば、ゴールを構成する各パーツの重量が軽量でしかも持ち運びやすい大きさであることから、ラグビー専用グランドではない共用グランドや多目的広場などに容易に搬入搬出して簡単に組立撤去することができる。また、使用時にはタンクの重量を増やすことができるので、ゴールポストをフィールドに安定的に設置することができる。さらに、高価な材料や特殊な装置を必要としないため経済的である。
【図面の簡単な説明】
【００１０】
【図１】図１は本考案に係る組立式ラグビーゴールの使用状態を示す斜視図である。
【図２】図２は本考案に係る組立式ラグビーゴールを構成する各パーツを組み立てる状態を示す説明図である。
【図３】図３は本考案に係る組立式ラグビーゴールのタンク部分の縦断面図である。
【考案を実施するための形態】
【００１１】
以下、本考案の実施の形態の一例を、図面を参照しながら説明する。
【００１２】
図１は、本考案の組立式ラグビーゴール１の実施の一形態を示す斜視図である。この組立式ラグビーゴール１は、図１及び図２に示すように、左右一対の互いに平行なゴールポスト２、２と、このゴールポスト２、２間に連結されて左右方向に延びるクロスバー３と、各ゴールポスト２を支持する基盤４と、この基盤４を覆うマット５と、このマット５を介して基盤４上に載置される複数個のタンク６（図例では２個のタンク６Ａ、６Ｂ）とを備え、これらタンク６Ａ、６Ｂを上下に積み重ねて用いる構成となっている。
【００１３】
具体的には、ゴールポスト２は、鋼鉄、軽量のＦＲＰ、アルミニウム合金或いはプラスチック等で管状に作成され、その寸法は日本ラグビー協会のサイズ規定に準ずるものであればよい。例えば、鋼鉄製のもので、長さ寸法４０００ｍｍに対して、１５ｋｇ以下とし、好ましくは１１ｋｇ以下とするのがよい。また、ゴールポスト２に適正な剛性を得るためには、その外径を３０ｍｍ以上とするのがよく、好ましくは４０ｍｍ以上とするのが好ましい。
【００１４】
上記基盤４は、円盤状の金属平板４ａとその上に溶接で固着されたソケット４ｂとからなる。このソケット４ｂは、ゴールポスト２を金属平板４ａ上に直立させるものであって、その外径をゴールポスト２の内径よりも小さくして、ゴールポスト２の下端を金属平板４ａに当接させるようになっている。この基盤４は、ゴールポストの安定性及び持ち運び易さを考慮して、金属平板４ａの直径が１０００ｍｍ〜１２００ｍｍで、重量は６０ｋｇ以下とするのがよい。また、ゴールポスト２の安定性を高めるために、ソケット４ｂの長さ寸法を２００ｍｍ以上とするのがよく、好ましくは３００ｍｍ以上とするのが好ましい。
【００１５】
クロスバー３は、上記ゴールポスト２と同様に作成され、長さ寸法が５６００ｍｍの管状物に対して、２０ｋｇ以下とし、好ましくは１６ｋｇ以下とするのがよい。このクロスバー３は、上記一対のゴールポスト２、２間に設置面側から３０００ｍｍ程度離れた位置で連結される。この連結には、図２に示すように、Ｔ形管継手７を用いることができる。
【００１６】
マット５は、人工芝からなり、略中央に基盤４のソケット４ｂを貫通させる孔５ａが形成され、金属平板４ａの全面を覆う構成となっている。毛足が２０ｍｍ程度のものは、金属平板４ａ上に敷設したときに、フィールド面と略面一となって、外観的に違和感がなく美観が良好となる。
【００１７】
各タンク６は、上方に開口する合成樹脂製のタンク本体６ａと、このタンク本体６ａの開口部に取り外し可能に装着される合成樹脂製の上蓋６ｂとからなり、ゴールポスト２を安定良くフィールドに起立させる構成となっている。このタンク本体６ａの底面と上蓋６ｂのほぼ中央にはそれぞれ差込口６ｃ、６ｄが対向するように設けられ、ゴールポスト２がタンク本体６ａを貫通するようになっている。さらに、タンク本体６ａの差込口６ｄには、その縁部からタンク本体６ａ内部を貫通し上蓋６ｂの差込口６ｄに連通する保持筒部６ｅが設けられており、直立するゴールポスト２を安定的に幇助するものとなっている。タンク６は直径寸法を５００ｍｍ〜６００ｍｍとし、高さ寸法が８００ｍｍ程度のものを２個積み重ねて全高さが１７００ｍｍ程度になるように設定するのがよい。この場合のタンク６の総重量は１０ｋｇ程度である。
【００１８】
タンク６は、ゴールポスト２を支える基盤４の重石となるように、内部に水や砂や小石や鉄粉等の流動体Ｗを注入可能となっている。上記寸法のタンク６は、２０リットル以上を注入可能で、満水状態として、２１０ｋｇ程度の重量をもつものとして使用できる。この重量はゴールポスト２に安定感を付与するのに充分なものである。なお、タンク本体６ａの下部には、流動体Ｗを排出する排出口６ｆが設けられている。
【００１９】
図３は使用時のタンク部分の縦断面図であり、この実施の形態のラグビーゴール１は、次のような手順で組み立てて使用される。まず、フィールドの所定場所に基盤４を設置してその上にマット５を敷き、下部側のタンク６Ａをタンク本体６Ａａの保持筒部６Ａｅがマット５から突き出ている基盤４のソケット４ｂに収まるようにマット５上に載置して内部に水Ｗを入れ、上蓋６Ａｂを装着する。次いで、ゴールポスト２を上部側のタンク６Ｂに上蓋６Ｂｂの差込口６Ｂｄからタンク本体６Ｂａの保持筒部６Ｂｅ内を通して底面の差込口６Ｂｃへと貫通させ、この貫通したゴールポスト２を下部側のタンク６Ａの保持筒部６Ａｅを通して基盤４のソケット４ｂに差し込む。このようにして直立させた左右一対のゴールポスト２、２間にＴ形管継手７を介してクロスバー３を連結固定して組み立てて使用する。
【００２０】
使用後には、下部側のタンク６Ａの排水口６ｆから水Ｗを抜き、上記組立とは逆順序で解体して搬出する。
【００２１】
上記実施の形態においては、２個のタンク６を上下に積み重ねて使用する場合について説明したが、これ以外にも設計変更自由であって、例えば、高さ寸法が４００ｍｍ程度のタンクを４個、又は５００ｍｍ程度のタンクを３個積み重ねて使用してもよい。また、本考案のタンクとして内部が空洞のドラム状のクッションドラムを利用することもできる。
【符号の説明】
【００２２】
１            ラグビーゴール
２            ゴールポスト
３            クロスバー
４            基盤
４ｂ          ソケット
５            マット
６、６Ａ、６Ｂ           タンク
６ａ、６Ａａ、６Ｂａ     タンク本体
６ｂ、６Ａｂ、６Ｂｂ    上蓋
６ｃ、６Ａｃ、６Ｂｃ、６ｄ、６Ａｄ、６Ｂｄ      差込口
６ｅ、６Ａｅ、６Ｂｅ     保持筒部
Ｗ          流動体
【図１】
0003203071.tif 000003
【図２】
0003203071.tif 000004
【図３】
0003203071.tif 000005